【手続補正書】
【提出日】平成20年5月12日(2008.5.12)
【手続補正１】
【補正対象書類名】特許請求の範囲
【補正対象項目名】全文
【補正方法】変更
【補正の内容】
【特許請求の範囲】
【請求項１】
スクリュー保持装置において、
スクリューを受け入れるための孔を有し、該孔が頂表面と底表面との間を延びているプレートと；
上記頂表面から上記プレート内へ延び、上記孔とオーバーラップするように位置する空洞と；
上記空洞内に位置し、上記スクリューが上記孔から抜け出すのを阻止するような第１の形状と、当該スクリューが当該孔から抜け出すのを許容するような第２の形状との間で変化できる弾性部材と；
上記弾性部材が上記プレートから除去されるのを阻止するように上記空洞内で取り付けられたキャップと；を有し、
上記弾性部材が上記第１の形状において上記キャップから上記孔内へ外方に延びることを特徴とする装置。
【請求項２】
上記空洞が上記プレートの中間区分に位置することを特徴とする請求項１に記載の装置。
【請求項３】
上記空洞が上記弾性部材を位置決めするように寸法決めされた上方棚部、及び、同上方棚部と上記プレートの底表面との間の下方区分を有し、上記上方棚部が上記下方区分よりも大きな幅を有することを特徴とする請求項１に記載の装置。
【請求項４】
上記キャップが上記上方棚部上に位置するフランジと、当該キャップを上記プレートに装着するために上記下方区分内で取り付けられたプラグとを有することを特徴とする請求項３に記載の装置。
【請求項５】
上記弾性部材が上記プレートに装着されたときに、上記キャップの上表面が当該プレートの上記頂表面と実質上同一面になることを特徴とする請求項１に記載の装置。
【請求項６】
上記弾性部材が実質上平坦な底表面を有することを特徴とする請求項１に記載の装置。
【請求項７】
上記弾性部材が第１及び第２の端部間に形成されたスロットを備えた実質上Ｃ字状の湾曲本体を有することを特徴とする請求項１に記載の装置。
【請求項８】
上記キャップ上のタブは、上記弾性部材が上記空洞内で所定量以上に回転するのを阻止するように、当該弾性部材の上記スロット内で位置決めされることを特徴とする請求項７に記載の装置。
【請求項９】
上記キャップが細長い開口を有することを特徴とする請求項１に記載の装置。
【請求項１０】
上記キャップの縁部は、当該キャップが上記孔から離れて位置し同孔とはオーバーラップしないように、当該孔と整合する湾曲表面を有することを特徴とする請求項１に記載の装置。
【請求項１１】
上記弾性部材が上記第２の形状へ変形されることを特徴とする請求項１に記載の装置。
【請求項１２】
上記空洞が自然の状態の上記弾性部材よりも幅狭く、上記第１の形状において当該弾性部材を予負荷状態にすることを特徴とする請求項１に記載の装置。
【請求項１３】
上記プレートが複数の椎骨部材にわたって延びるような細長い形状を有することを特徴とする請求項１に記載の装置。
【請求項１４】
上記空洞が上記プレートを完全に貫通することを特徴とする請求項１に記載の装置。
【請求項１５】
上記キャップの下方区分上の耳部を受け入れるために上記プレートの上記底表面に位置するカウンタボアを更に有することを特徴とする請求項１４に記載の装置。
【請求項１６】
スクリュー保持装置において、
スクリューを受け入れるように寸法決めされた孔を有するプレートと；
上記孔とオーバーラップするカウンタボアを備えた、上記プレート内へ延びる空洞と；
上記カウンタボア内に位置し、上記孔へアクセスするスクリューを制御するために弾性的に変形できる弾性部材と；
上記空洞上で少なくとも部分的に位置するフランジ、及び、上記弾性部材の内部区分を通して位置決めされ、上記プレートにキャップを取り付けるために当該プレートと嵌合するプラグを有するキャップと；を有することを特徴とするスクリュー保持装置。
【請求項１７】
上記プラグが上記空洞の側壁に装着するように変形できる耳部を有することを特徴とする請求項１６に記載の装置。
【請求項１８】
上記フランジは、同フランジが上記孔内へ延びないように、同孔と整合する湾曲縁部を有することを特徴とする請求項１６に記載の装置。
【請求項１９】
上記空洞が上記プレートの中間区分に位置することを特徴とする請求項１６に記載の装置。
【請求項２０】
上記キャップが実質上Ｔ字形状を有し、上記プラグが約９０°の角度で上記フランジから外方に延びることを特徴とする請求項１６に記載の装置。
【請求項２１】
上記キャップが上記フランジを通り、上記プラグを少なくとも部分的に通って延びる細長い窓を有することを特徴とする請求項１６に記載の装置。
【請求項２２】
スクリュー保持装置において、
第１及び第２のスクリュー受け入れ孔間に位置し、上記第１及び第２の孔とオーバーラップするように寸法決めされた空洞を有するプレートと；
上記空洞内に位置し、上記第１及び第２の孔内へ延びる第１の形状及び当該第１及び第２の孔から離れる第２の形状を備えた変形可能な形状を有する弾性部材と；
上記プレートに取り付けられ、上記空洞上に装着され、上記第１及び第２の孔から離れる形状のキャップと；を有し、
上記弾性部材が上記第１の形状において上記キャップから外方に延び、上記第２の形状において当該キャップの下方に位置することを特徴とする装置。
【請求項２３】
上記空洞が上記孔間に位置し、上記キャップが当該孔と整合する湾曲縁部を備えた砂時計形状を有することを特徴とする請求項２２に記載の装置。
【請求項２４】
上記空洞の中心が上記第１及び第２の孔の中心間に形成されたラインに沿って位置することを特徴とする請求項２３に記載の装置。
【請求項２５】
上記空洞がカウンタボアと中央区分とを有し、上記カウンタボアが上記プレートの頂表面から同プレート内へ延び、上記第１及び第２の孔内へ延びるような幅を有し、上記中央区分が当該プレートを通って延び、当該第１及び第２の孔から離れて位置することを特徴とする請求項２２に記載の装置。
【請求項２６】
スクリュー保持装置において、
孔とオーバーラップするカウンタボアを備えた空洞を有するプレートであって、上記孔が上記プレートを通って延び、上記カウンタボアが頂表面から当該プレート内へ限られた距離だけ延びるようなプレートと；
上記カウンタボア内に位置し、上記孔内へ延びる第１の形状と、当該孔から離れるように寸法決めされた第２の形状と、をとり得る弾性部材と；
上記プレートに取り付けられ、上記空洞の上方に装着され、上記孔から離れて位置するような形状を有するキャップと；を有し、
上記弾性部材が上記第１の形状において上記キャップの下方から延び、上記第２の形状において当該キャップの下方に位置することを特徴とする装置。
【請求項２７】
椎骨プレート装置において、
頂表面と底表面との間を延びる孔を有するプレートと；
上記頂表面から上記プレート内へ延び、上記孔よりも小さな深さを有し、当該孔とオーバーラップするように位置するカウンタボアと；
実質上平坦な底表面を有し、上記カウンタボア内に位置し、第１及び第２の形状間で変形できる弾性部材と；
上記弾性部材を上記カウンタボア内に維持するように上記プレートに取り付けられたキャップと；を有することを特徴とする装置。
【請求項２８】
スクリューを更に有し、同スクリューが同スクリューの中央軸線から外方へ延びる棚部を有し、同棚部は、上記弾性部材が上記第１の形状にあるときに同弾性部材の上記実質上平坦な底表面に接触するように、実質上平坦となっていることを特徴とする請求項２７に記載の装置。
【請求項２９】
上記棚部に隣接し、当該棚部における最大幅と、挿入端部に近い方の該棚部からある距離での最小幅とを有する球状部を更に有することを特徴とする請求項２８に記載の装置。
【請求項３０】
上記弾性部材が湾曲本体と、スロットを形成するように離間した第１及び第２の端部とを備えた実質上Ｃ字形状を有することを特徴とする請求項２７に記載の装置。
【請求項３１】
上記弾性部材が実質上矩形の横断面形状を有することを特徴とする請求項２７に記載の装置。
【請求項３２】
プレート装置において、
スクリューを受け入れるために頂表面と底表面との間を延びる孔を有するプレートと；
上記頂表面から上記プレート内へ延び、上記孔よりも小さな深さを有し、当該孔とオーバーラップするように位置するカウンタボアと；
実質上平坦な底表面を有し、上記カウンタボア内に留まるように位置し、上記孔内へ延びるような第１の形状と当該孔から離れるような第２の形状との間で変形できる弾性部材と；
上記プレートに取り付けられ、上記カウンタボアの少なくとも一部の上で延びるキャップと；を有することを特徴とする装置。
【請求項３３】
上記空洞及び上記カウンタボアが同軸的に整合することを特徴とする請求項３２に記載の装置。
【請求項３４】
スクリュー保持装置において、
頂表面及び底表面を有するプレートと；
上記プレート内に位置し、上記頂表面と上記底表面との間を延びる空洞と；
上記プレート内に位置し、上記頂表面と上記底表面との間を延びる孔と；
上記空洞と整合し、上記頂表面から上記プレート内へ延び、上記孔とオーバーラップし、当該空洞より大きな幅を有する第１のカウンタボアと；
上記空洞と整合し、上記底表面から上記プレート内へ延び、当該空洞より大きな幅を有する第２のカウンタボアと；
上記第１のカウンタボア内に位置し、上記孔内へ延びるような第１の形状及び当該孔から離れるような第２の形状を有する弾性部材と；
上記弾性部材の少なくとも一部の区分上で延び、上記プレートに取り付けられるように上記第２のカウンタボア内に位置する少なくとも１つの耳部を有するキャップと；を有することを特徴とする装置。
【請求項３５】
上記第１及び第２のカウンタボアが各々上記空洞に対して軸方向で整合することを特徴とする請求項３４に記載の装置。
【手続補正２】
【補正対象書類名】明細書
【補正対象項目名】発明の名称
【補正方法】変更
【補正の内容】
【発明の名称】プレート内でスクリューを保持するための装置